(57)【要約】【課題】  本発明は非放電領域での誤放電を防止するプラズマ表示パネルに関する。【解決手段】  本発明によるプラズマ表示パネルは、互いに対向配置される第１基板及び第２基板と、前記第１基板に伸張形成される表示電極と、前記表示電極と交差するように第２基板に伸張形成されるアドレス電極と、前記第１基板と第２基板の間の空間に配置されて複数の放電セルを形成しながら前記アドレス電極の伸張方向に隣接した放電セルの間に空間をおいて非放電領域を形成する隔壁、及び前記各放電セル内に形成される蛍光体を含み、前記非放電領域は表示電極の一側を露出させる露出領域を備えて、この露出領域は表示電極の伸張方向に沿って交互に配置される。【選択図】図１
2005327727.tif 000002
【特許請求の範囲】
【請求項１】
互いに対向配置される第１基板と第２基板；
前記第１基板に伸張形成される表示電極；
前記表示電極と交差するように第２基板に伸張形成されるアドレス電極；
前記第１基板と第２基板の間の空間に配置されて複数の放電セルを形成しながら、前記アドレス電極の伸張方向に隣接した放電セルの間に空間をおいて非放電領域を形成する隔壁；及び
前記各放電セル内に形成される蛍光体；
を含み、
前記非放電領域は、表示電極の一側を露出させる露出領域を備え、この露出領域は表示電極の伸張方向に沿って交互に配置されることを特徴とするプラズマ表示パネル。
【請求項２】
前記露出領域は、アドレス電極の伸張方向に沿って伸張形成される隔壁の一側に形成されることを特徴とする請求項１に記載のプラズマ表示パネル。
【請求項３】
前記露出領域は、アドレス電極の伸張方向に沿って伸張形成される隔壁の一側とこの隔壁に隣接した他の隔壁の反対側に形成されることを特徴とする請求項１に記載のプラズマ表示パネル。
【請求項４】
前記露出領域は、放電セルの対角線方向の隔壁の両側に形成されることを特徴とする請求項１に記載のプラズマ表示パネル。
【請求項５】
前記露出領域は、表示電極の伸張方向に沿ってジグザグ位置に配置されることを特徴とする請求項１に記載のプラズマ表示パネル。
【請求項６】
前記露出領域は、Ｘ電極とＹ電極を含む表示電極の隣接した放電セルのＸ電極とＹ電極の間に交互に配置されることを特徴とする請求項１に記載のプラズマ表示パネル。
【請求項７】
前記露出領域は、透明電極とバス電極を含む表示電極のバス電極の一側が露出されることを特徴とする請求項１に記載のプラズマ表示パネル。
【請求項８】
前記バス電極の一側面は露出領域に露出されて、このバス電極に隣接した放電セルの他のバス電極の一側面は、このバス電極の伸張方向に伸張形成される隔壁によって遮断されることを特徴とする請求項７に記載のプラズマ表示パネル。
【請求項９】
前記隔壁は、前記アドレス電極伸張方向に並んで形成される第１隔壁部材、
前記第１隔壁部材の伸張方向に対して交差しながら互いに並べて形成される第２隔壁部材、及び
前記第１隔壁部材と第２隔壁部材によって区画される放電セルの対角の二つのかど（角）を前記第１隔壁部材及び第２隔壁部材に対して非直角で連結する第３隔壁部材を含むことを特徴とする請求項１に記載のプラズマ表示パネル。
【請求項１０】
前記第２隔壁部材は、隣接した放電セルの他の第２隔壁部材の間に介される第４隔壁部材によって相互連結されることを特徴とする請求項９に記載のプラズマ表示パネル。
【請求項１１】
前記放電セルは、アドレス電極または表示電極の伸張方向に対して非対称構造を形成することを特徴とする請求項１に記載のプラズマ表示パネル。
【請求項１２】
前記放電セルは、アドレス電極の伸張方向の両側端部の放電領域を中心側の放電領域より狭く形成することを特徴とする請求項１に記載のプラズマ表示パネル。
【請求項１３】
前記放電セルは、アドレス電極の伸張方向の両側端部で一側かど（角）が９０度に形成されて、他側かど（角）が中心から端部へ向かいながらしだいに狭くなる構造に形成されることを特徴とする請求項１に記載のプラズマ表示パネル。
【発明の詳細な説明】
【技術分野】
【０００１】
本発明は、画像を表示するプラズマ表示パネル（以下、ＰＤＰ）に関する。
【背景技術】
【０００２】
一般に、ＰＤＰは気体放電により得られたプラズマから放射される真空紫外線（ＶＵＶ）が蛍光体を励起させることで発生する赤Ｒ、緑Ｇ、青Ｂの可視光を利用して映像を実現する表示素子である。このようなＰＤＰは、６０インチ以上の超大型画面を僅か１０ｃｍ以内の厚さで実現することができて、ＣＲＴのような自発光表示素子であるため、色の再現力及び視野角による歪曲現象がない特性を有し、また、ＬＣＤなどに比べて製造工法が単純で生産性及び原価側面からも強点を有して、ＴＶ及び産業用の平板表示装置として脚光を浴びている。
【０００３】
図５に示すように、一般的な交流型ＰＤＰにおいて、背面基板１０１上に一方向（図面のｙ軸方向）に沿ってアドレス電極１０３が形成されて、このアドレス電極１０３を覆いながら背面基板１０１の前面に誘電層１０５が形成される。この誘導層１０５上に各アドレス電極１０３の間に配置されるように帯状の隔壁１０７が形成されて、それぞれの隔壁１０７の間には赤Ｒ、緑Ｇ、青Ｂ色の蛍光体１０９Ｒ、１０９Ｇ、１０９Ｂが形成される。
【０００４】
そして、図の上部には、背面基板１０１に対向する前面基板１１１があって、その一面には透明電極１１３ａ、１１５ａとバス電極１１３ｂ、１１５ｂで構成されるＸ、Ｙ電極対１１３、１１５、つまり表示電極が、アドレス電極１０３と交差する方向に沿って形成され、このＸ、Ｙ電極対１１３、１１５を覆いながら前面基板１１１の全体に誘電層１１７とＭｇＯ保護膜１１９が順次に形成される。
【０００５】
前記背面基板１０１上のアドレス電極１０３と、前面基板１１１上のＸ、Ｙ電極対１１３、１１５が交差する地点が放電セル１２１Ｒ、１２１Ｇ、１２１Ｂを構成する部分になる。
【０００６】
このように構成されるＰＤＰの内部には、数百万個以上の単位放電セルがマトリックス形態に配列されている。マトリックス形態に配列された交流型ＰＤＰの放電セルを、ブロックごとに同時駆動するため、記憶素子を利用して駆動をする。
【０００７】
更に説明すると、一対の放電電極を構成する表示専用の電極であるＸ電極１１３とブロック選択用の走査電極であるＹ電極１１５の間に放電を起こすためには特定電圧以上の電位差が必要であって、この境界になる電圧を放電開始電圧（Ｖｆ）という。この時、アドレス電圧（正電圧Ｖａ）をアドレス電極１０３とＹ電極１１５との間に印加すると、放電が開始されて放電セル内にプラズマが形成され、このプラズマの中の電子とイオンは反対極性を有する電極側に吸引されて移動するので電流が流れる。
【０００８】
一方、交流型ＰＤＰの各電極１０３、１１３、１１５は、誘電層１０５、１１７で覆われていて、移動した電子やイオンのほとんどは反対極性を有する誘電層１０５、１１７上に付着して蓄積電圧（つまり静電気）を生じ、結局Ｙ電極１１５とアドレス電極１０３の間の有効電圧は本来印加されているアドレス電圧より小さくなり、放電は弱くなって、終にはアドレス放電が消滅する。この時、Ｘ電極１１３側にも相対的に少量の電子が付着して、Ｙ電極１１５側には相対的に多量のイオンが付着（“積む”という）するようになるが、これらＸ電極１１３及びＹ電極１１５を覆っている誘電層１１７上に積まれた電荷を壁電荷（Ｑｗ）といって、これら壁電荷によってＸ電極１１３とＹ電極１１５の間に形成される空間電圧を壁電圧（Ｖｗ）という。
【０００９】
これに続いて、Ｘ電極１１３とＹ電極１１５の間に一定電圧（Ｖｓ:放電維持電圧）を印加する場合、前記放電維持電圧（Ｖｓ）と壁電圧（Ｖｗ）を合わせた値（Ｖｓ+Ｖｗ）が放電開始電圧（Ｖｆ）より高くなると、放電セル１２１Ｒ、１２１Ｇ、１２１Ｂ内で放電が起こり、この時発生する真空紫外線（ＶＵＶ）が当該蛍光体１０９Ｒ、１０９Ｇ、１０９Ｂを励起して、透明な前面基板１１１を通して可視光を放出するので、ＰＤＰは画像を実現する。
【００１０】
しかし、図５に示したように表示電極１１３、１１５と隔壁１０７が帯状に形成されただけのＰＤＰ構造では、隔壁１０７を間に置いて隣接する放電セル１２１Ｒ、１２１Ｇ、１２１Ｂの間にクロストークが起こりうるので、また隔壁１０７が形成される方向に沿って放電空間が互いに連結されているので、この方向に沿って隣接した放電セル１２１Ｒ、１２１Ｇ、１２１Ｂの間に誤放電が起こる可能性もある。これを防止するためには、図面のｙ軸方向の隔壁１０７に沿って隣接した表示電極１１３、１１５間の距離を一定水準以上に確保しなければならないが、このような配置は効率の改善を妨げる。
【００１１】
前記問題を解決するための先行技術として、特許文献１で開示されたプラズマ表示装置がある。この先行技術によるプラズマ表示装置は、帯状の隔壁を有するが、表示電極を構成する透明電極が各放電セル毎に一対が互いに対向するようにバス電極に突き出た構成を有する。ところが、このような構造のプラズマ表示装置でも、前記指摘のように隔壁と並んだ方向への誤放電を解決できない問題がある。
【００１２】
また、前記問題を解決して蛍光体塗布面積を広げ、発光効率を向上させるための目的で互いに直交する縦隔壁と横隔壁からなるマトリックス形の隔壁構造を有するＰＤＰが提案された。さらに、横または縦隔壁の構造を一部変形したＰＤＰの場合、隣接した放電セルに位置する表示電極のバス電極が非放電領域に露出されて非放電領域で誤放電を起こしうる。このような非放電領域での誤放電はＮｅ発光で色純度を低下させて不要な電力消耗によりＰＤＰの効率を低下させる問題を生じる。
【特許文献１】米国登録特許第５、６４０、０６８号
【特許文献２】日本特願平６−１５７５９６                  （同上優先権文献：日本特開平０８−０２２７７２号）
【発明の開示】
【発明が解決しようとする課題】
【００１３】
本発明の目的は、非放電領域での誤放電を軽減するプラズマ表示パネルを提供することである。
【課題を解決するための手段】
【００１４】
本発明によるプラズマ表示パネルは、互いに対向配置される第１基板及び第２基板と、前記第１基板に伸張形成される表示電極と、前記表示電極と交差するように第２基板に伸張形成されるアドレス電極と、前記第１基板と第２基板の間の空間に配置されて複数の放電セルを形成しながら前記アドレス電極の伸張方向に隣接した放電セルの間に空間をおいて非放電領域を形成する隔壁、及び前記各放電セル内に形成される蛍光体を含み、前記非放電領域は表示電極の一側を露出させる露出領域を備えて、この露出領域は表示電極の伸張方向に沿って交互に配置される。
【００１５】
前記露出領域は、アドレス電極の伸張方向に沿って伸張形成される隔壁の一側に形成される。
【００１６】
前記露出領域は、アドレス電極の伸張方向に沿って伸張形成される隔壁の一側とこの隔壁に隣接した他の隔壁の反対側に形成される。
【００１７】
前記露出領域は、放電セルの対角線方向の隔壁の両側に形成される。
【００１８】
前記露出領域は、表示電極の伸張方向に沿ってジグザグに配置される。
【００１９】
前記露出領域は、Ｘ電極とＹ電極で形成される表示電極の隣接した放電セルのＸ電極とＹ電極の間に交互に配置される。
【００２０】
前記露出領域には、透明電極とバス電極で形成される表示電極のバス電極の一側が露出される。
【００２１】
前記バス電極の一側面は、露出領域に露出されて、このバス電極に隣接した放電セルの他のバス電極の一側面はこのバス電極の伸張方向に伸張形成される隔壁で遮断される。
【００２２】
前記隔壁は、前記アドレス電極の伸張方向に並んで形成される第１隔壁部材と、前記第１隔壁部材の伸張方向に対して交差しながら互いに並んで形成される第２隔壁部材、及び前記第１隔壁部材と第２隔壁部材によって区画される放電セルの対角に位置する二つのかど（角）を前記第１隔壁部材及び第２隔壁部材に傾くように連結する第３隔壁部材を含む。
【００２３】
前記第２隔壁部材は、隣接した放電セル等の他の第２隔壁部材の間に介在する第４隔壁部材によって相互連結される。
【００２４】
前記放電セルは、アドレス電極または表示電極の伸張方向に対して非対称構造を形成する。
【００２５】
前記放電セルは、アドレス電極の伸張方向の両側端部の放電領域を中心側の放電領域より狭く形成する。
【００２６】
前記放電セルは、アドレス電極の伸張方向の両側端部で一側のかど（角）が９０度に形成されて、他方のかどが中心から端部へ向かってしだいに狭くなる構造に形成される。
【発明の効果】
【００２７】
本発明によるプラズマ表示パネルは、表示電極、つまり、バス電極の一側が露出される非放電領域の露出領域を表示電極の伸張方向に沿って交互に配置することによって、露出領域の一側にはバス電極が露出されるが、このバス電極に隣接する他の放電セルのバス電極が隔壁によって遮断されることにより、非放電領域で隣接した互いに異なるバス電極間の誤放電を防止する効果がある。
【発明を実施するための最良の形態】
【００２８】
以下、添付図を参照して、本発明の多様な実施例を詳細に説明する。
【００２９】
図１は、本発明によるプラズマ表示パネルを概略的に示した部分分解斜視図である。
【００３０】
この図面を参照してＰＤＰを説明すると、本実施例によるＰＤＰは第１基板１（以下、前面基板という）と第２基板３（以下、背面基板という）の面対向縫着構造で形成される。この前面基板１と背面基板３の間の空間には、複数の隔壁５が配置されて、プラズマ放電を起こすことができるように複数の放電セル７Ｒ、７Ｇ、７Ｂを区画して形成する。この放電セル７Ｒ、７Ｇ、７Ｂの内面には赤Ｒ、緑Ｇ、青Ｂ色の蛍光体９Ｒ、９Ｇ、９Ｂが形成される。
【００３１】
この放電セル７Ｒ、７Ｇ、７Ｂに対応するように前記第１基板１上には図面のｘ軸方向に沿って伸張形成された表示電極１１、１３が図面のｘ軸方向に沿って放電セル７Ｒ、７Ｇ、７Ｂに対応する間隔を維持しながら並んで配置され、この表示電極１１、１３と交差する方向（図面のｙ軸方向）に沿って伸張形成されたアドレス電極１５が図面のｙ軸方向に沿って放電セル７Ｒ、７Ｇ、７Ｂに対応する間隔を維持しながら前記第２基板３上に並んで配置される。
【００３２】
前記表示電極１１、１３は、各放電セル７Ｒ、７Ｇ、７Ｂに対応するように互いに並んで配置されるＸ電極１１とＹ電極１３で構成される。このＸ電極１１及びＹ電極１３は、第１基板１に備えて、誘電層１７とＭｇＯ保護膜１９による積層構造を形成する。
【００３３】
このＸ電極１１とＹ電極１３は、各々透明電極１１ａ、１３ａとバス電極１１ｂ、１３ｂからなって、透明電極１１ａ、１３ａまたはバス電極１１ｂ、１３ｂだけで形成されることも出来る。ここで透明電極１１ａ、１３ａは、放電セル７Ｒ、７Ｇ、７Ｂの内部で面放電を起こす役割を果たすことで、開口率を確保して可視光の透過率を確保するために透明なＩＴＯ電極で形成されて、バス電極１１ｂ、１３ｂはこのような透明電極１１ａ、１３ａの高い抵抗を補償して通電性を確保するために、Ａｌのような金属電極で形成されることが好ましい。各放電セル７Ｒ、７Ｇ、７Ｂに対応する一対のバス電極１１ｂ、１３ｂは、図面のｘ軸方向に沿って一字形に伸張されて、図面のｘ軸方向に間隔を維持しながら互いに並んで形成配置される。透明電極１１ａ、１３ａは、このバス電極１１ｂ、１３ｂのように図面のｘ軸方向に沿って伸張される帯状からなることができるが、本実施例のように前記バス電極１１ｂ、１３ｂから放電セル７Ｒ、７Ｇ、７Ｂの中心に向かって突出構造で形成される事も出来る。また、バス電極１１ｂ、１３ｂは、隔壁５の形状に合わせて蛇行形成させてもよい。
【００３４】
前記アドレス電極１５は、Ｘ電極１１とＹ電極１３に交差する方向（図面のｙ軸方向に伸張されて図面のｙ軸方向に間隔を維持する）に背面基板３に備えて誘電層２１によって覆われている。
【００３５】
また、隔壁５は、前記のようにＸ電極１１とＹ電極１３を備えた前面基板１とアドレス電極１５を備えた背面基板３の間に備えて、プラズマ放電に必要な放電セル７Ｒ、７Ｇ、７Ｂを各々独立に区画する。隔壁５で囲まれた放電セルの平面形状は、基本形である長方形の第１対角線の両隅部が直角になっているが、 第２対角線の両隅部は隅切りされて非直角であり、目視では４５度に切られている。隔壁の各部分には、基本長方形の長辺を５ａ、短辺を５ｂ、隅切り部（斜辺）を５ｃと命名している。  
【００３６】
この隔壁５は、前記アドレス電極１５の伸張方向（図面のｙ軸方向）に隣接する放電セル７Ｒ、７Ｇ、７Ｂの間に空間をおいて外部に非放電領域Ａを形成しながらその内部に放電領域を形成するようになる。つまり、この隔壁５は、前面基板１と背面基板３の間の座標ｘ−ｙ平面上に閉鎖構造の放電セル７Ｒ、７Ｇ、７Ｂを形成し、この放電セル７Ｒ、７Ｇ、７Ｂをｙ軸方向に相互付着連結しながら図面のｘ軸方向に非放電領域Ａを介在させて相互隔離配置されるように形成される。つまり、この非放電領域Ａは、大体アドレス電極１５と交差する方向、つまり、図面のｘ軸方向に沿って配置される。
【００３７】
前記放電セル７Ｒ、７Ｇ、７Ｂは、その内部に放電ガスを含んでおり、アドレス電圧または放電維持電圧が印加される時、内部でガス放電を起こす空間であり、非放電領域Ａはその内部に別途の電圧が印加されない放電または発光が予定されない領域または空間である。
【００３８】
この非放電領域Ａは、表示電極１１、１３の一側を露出させる露出領域Ｂを備えるようになって、この露出領域は表示電極１１、１３の伸張方向（図面のｘ軸方向）に沿って交互に配置される。
【００３９】
従って、本発明では、隔壁５によって形成される放電セル７Ｒ、７Ｇ、７Ｂがアドレス電極１５の伸張方向（図面のｙ軸方向）、または表示電極１１、１３の伸張方向（図面のｘ軸方向）のうちの何れか一方向に対しても対称構造を形成することがなく、両方向に対して非対称構造を形成し、このような構造にもかかわらず表示電極１１、１３の一側、つまり、バス電極１１ｂ、１３ｂが帯状になるために、隔壁５とバス電極１１ｂ、１３ｂが一致しない部分で表示電極１１、１３の一側、つまり、バス電極１１ｂ、１３ｂの一側が非放電領域Ａに露出される。
【００４０】
この非放電領域Ａは、これにＸ電極１１及びＹ電極１３それぞれのバス電極１１ｂ、１３ｂが対向して露出されると放電が起こるべきではない領域で誤放電が起きて色純度及び電力効率が低下するので、これを防止するために、この非放電領域Ａに備わる露出領域Ｂを表示電極１１、１３の伸張方向（図面のｘ軸方向）に沿って交互に配置する構造を形成する。
【００４１】
この非放電領域Ａ及びその一側を形成する露出領域Ｂは、隔壁５の構造によって形成され、この隔壁５の具体的な形状を説明する前に、まずこの非放電領域Ａ及び露出領域Ｂのｘ-ｙ平面上での配置状態を説明する。
【００４２】
前記のように、非放電領域Ａは、アドレス電極１５と交差する方向、つまり、図面のｘ軸方向に形成配置されて放電セル７Ｒ、７Ｇ、７Ｂの図面のｘ軸方向の間に全て形成される。そして露出領域Ｂは、図面のｘ軸方向に沿って交互的に配置されるようにそれぞれの非放電領域Ａに形成される。
【００４３】
図２を参照して、露出領域Ｂを説明すると、前記露出領域Ｂは隣接した放電セル７Ｒ、７Ｇ、７Ｂの互いに異なる表示電極１１、１３の間でＸ電極１１側と電極１３側に交互に形成される。つまり、露出領域ＢがＸ電極１１側に形成されれば、Ｙ電極１３側に形成されなく、Ｙ電極１３側に形成されればＸ電極１１側に形成されない。
【００４４】
従って、前記露出領域Ｂには、透明電極１１ａ、１３ａとバス電極１１ｂ、１３ｂを含むＸ電極１１とＹ電極１３の一側が露出される。つまり、バス電極１１ｂ、１３ｂの一側面が露出領域Ｂに露出される。
【００４５】
図３を参照して、露出領域Ｂを説明すると、Ｘ電極１１とＹ電極１３が共に非放電領域Ａに位置しても、一側放電セル７Ｒ、７Ｇ、７Ｂの露出領域Ｂでは、Ｘ電極１１のバス電極１１ｂが露出されて、図面のｙ軸方向に隣接した他の放電セル７Ｒ、７Ｇ、７Ｂの露出領域ＢではＹ電極１３のバス電極１３ｂが露出されるので、露出領域Ｂを含む非放電領域Ａでの誤放電は防止される。つまり、一つの露出領域ＢにはＸ電極１１とＹ電極１３のバス電極１１ｂ、１３ｂが共に露出されても、一側バス電極１３ｂが隔壁５によって一側面が遮断されるので、他側のバス電極１１ｂの面が非放電領域Ａの露出領域Ｂに露出されても二つのバス電極１３ｂ、１１ｂの間には誤放電が発生しないようにされる。
【００４６】
前記のように作用する非放電領域Ａ及び露出領域Ｂは、形成する隔壁５を多様に形成することができるが、本実施例は第１、第２、第３隔壁部材５ａ、５ｂ、５ｃまたはこれに第４隔壁部材５ｄを含む隔壁５を例示する。
【００４７】
まず、前記第１隔壁部材５ａは、アドレス電極１５の伸張方向（ｙ軸方向）に形成されて、図面のｙ軸方向に放電セル７Ｒ、７Ｇ、７Ｂに対応する間隔を維持しながら互いに並んで形成され、図面のｘ軸方向に独立した放電セル７Ｒ、７Ｇ、７Ｂを形成するように各々分離形成される。第２隔壁部材５ｂは、第１隔壁部材５ａの伸張方向（図面のｙ軸方向）に対して交差する方向（図面のｘ軸方向）に形成されて、図面のｘ軸方向に放電セル７Ｒ、７Ｇ、７Ｂに対応する間隔を維持しながら互いに並んで形成される。この第２隔壁部材５ｂは、図面のｙ軸方向に隣接する放電セル７Ｒ、７Ｇ、７Ｂを２つずつ相互連結するように各々分離形成される。従って、第１隔壁部材５ａと第２隔壁部材５ｂは、放電セル７Ｒ、７Ｇ、７Ｂの対角線方向の両側かどを直角に連結して形成する。また、第３隔壁部材５ｃは、第１隔壁部材５ａと第２隔壁部材５ｂによって区画される放電セル７Ｒ、７Ｇ、７Ｂの対角方向の２ケ所を前記第１隔壁部材５ａ及び第２隔壁部材５ｂに対して非直角で連結する。従って、放電セル７Ｒ、７Ｇ、７Ｂの直角連結かど（角）を除いた他の二つのかど（角）は傾くように連結される。
【００４８】
結局、一つの放電セル７Ｒ、７Ｇ、７Ｂは、アドレス電極１５の伸張方向の両端で対角線方向に直角かど部分と斜辺を有するかど部分を備えた非対称構造を形成する。つまり、放電セル７Ｒ、７Ｇ、７Ｂは、アドレス電極１５の伸張方向（図面のｙ軸方向）の両側端部の放電領域を中心側の放電領域より狭く形成する。
【００４９】
これをより具体的に説明すると、放電セル７Ｒ、７Ｇ、７Ｂは、アドレス電極１５の伸張方向（図面のｙ軸方向）の両側端部でかどを９０度で形成して他方のかどを中心に端部へ向かいながらしだいに狭くなる構造で形成する。
【００５０】
この放電セル７Ｒ、７Ｇ、７Ｂは、実質的に表示放電及び輝度向上に寄与度が小さい部分を最少化する構造を形成するものとして、アドレス電極１５の伸張方向（図面のｙ軸方向）に沿って位置する両側端部の幅を放電セル７Ｒ、７Ｇ、７Ｂの中心から遠くなるほど狭くなるように形成する。これと同時に非放電領域Ａでバス電極１１ｂ、１３ｂ間の誤放電を防止するように、一側バス電極１１ｂ、１３ｂを隔壁５で遮断するために放電セル７Ｒ、７Ｇ、７Ｂの端部で一側のかどを傾いた斜辺で形成しながら、他方のかどを直角で形成する。
【００５１】
隔壁５は、図３に示されているように、第４隔壁部材５ｄをさらに備えることも出来る。この第４隔壁部材５ｄは、一側放電セル７Ｒ、７Ｇ、７Ｂの第２隔壁部材５ｂとこれに隣接する他側放電セル７Ｒ、７Ｇ、７Ｂの第２隔壁部材５ｂの間に介されて、これらを相互連結する。この第４隔壁部材５ｄは、隔壁５で形成される放電セル７Ｒ、７Ｇ、７Ｂの構造をより堅固にする。
【００５２】
図４は、前記図１乃至図３の他の実施例である。図４を参照して、隔壁５を説明すると、この隔壁５は、前記第４隔壁部材５ｄを備えずに、第１、第２、第３隔壁部材５ａ、５ｂ、５ｃだけで形成されたことを例示する。この隔壁５は、放電セル７Ｒ、７Ｇ、７Ｂの間にｙ軸方向に伸張される通路を形成して、プラズマ放電時に発生する熱を効果的に放熱させるようになって、前面基板１と背面基板３を組立てた後、両基板の間の空間を排気させる時に排気通路として作用し、排気コンダクタンスを高めるようになる。
【００５３】
続けて、このような隔壁５によって形成される非放電領域Ａ及び露出領域Ｂをより具体的に説明する。
【００５４】
前記露出領域Ｂは、アドレス電極１５の伸張方向（図面のｙ軸方向）に形成される隔壁５のうちの第１隔壁部材５ａの一側に形成される。これを連続的に見ると、露出領域Ｂは、第１隔壁部材５ａの一側とこの第１隔壁部材５ａに隣接する他の第１隔壁部材５ａの反対側に形成される。従って、露出領域Ｂは、各放電セル７Ｒ、７Ｇ、７Ｂの対角線方向の両側の第１隔壁部材５ａ、５ａに形成され、表示電極１１、１３の伸張方向（図面のｘ軸方向）に沿ってジグザグ状に配置されて、一側の放電セル７Ｒ、７Ｇ、７ＢのＸ電極１１とこれに隣接する他の放電セル７Ｒ、７Ｇ、７ＢのＹ電極１３の間に交互に配置される。
【００５５】
以上、本発明の好ましい実施例について説明したが、本発明はこれに限定されることなく、特許請求の範囲と発明の詳細な説明及び添付図の範囲内で多様に変形して実施可能であって、これらも本発明の範囲に属するものとする。
【図面の簡単な説明】
【００５６】
【図１】本発明によるプラズマ表示パネルを概略的に示した部分分解斜視図である。
【図２】図１の部分平面図である。
【図３】図２のＡ-Ａ線に沿った部分断面図である。
【図４】本発明によるプラズマ表示パネルの他の実施例の部分平面図である。
【図５】従来技術によるプラズマ表示パネルを概略的に示した部分分解斜視図である。
【符号の説明】
【００５７】
１        前面基板
３        背面基板
５        隔壁
５ａ      第１隔壁部材
５ｂ      第２隔壁部材
５ｃ      第３隔壁部材
５ｄ      第４隔壁部材
７Ｒ      放電セル
７Ｇ      放電セル
７Ｂ      放電セル
９Ｒ      蛍光体
９Ｇ      蛍光体
９Ｂ      蛍光体
１１      表示電極
１１ａ    透明電極
１１ｂ    バス電極
１３      Ｙ電極１３
１３ａ    透明電極
１３ｂ    バス電極
１５      アドレス電極１５
１７      誘電層
１９      ＭｇＯ保護膜
２１      誘電層
１０１    背面基板
１０３    アドレス電極
１０５    誘導層
１０７    隔壁
１０９Ｒ  蛍光体
１０９Ｇ  蛍光体
１０９Ｂ  蛍光体
１１１    前面基板
１１３    Ｘ電極
１１３ａ  透明電極
１１３ｂ  バス電極
１１５    Ｙ電極
１１５ａ  透明電極
１１５ｂ  バス電極
１１７    誘電層
１１９    ＭｇＯ保護膜
１２１Ｒ  放電セル
１２１Ｇ  放電セル
１２１Ｂ  放電セル
Ａ        非放電領域        
Ｂ        露出領域
【図１】
2005327727.tif 000003
【図２】
2005327727.tif 000004
【図３】
2005327727.tif 000005
【図４】
2005327727.tif 000006
【図５】
2005327727.tif 000007